(57)【要約】【課題】段葺き屋根の接合用段部に、雪止め金具取付用の圧潰部を容易に形成することができる段葺き屋根の段潰し工具を提供すること。【解決手段】段葺き屋根Ａ上に載置可能な本体１に、段葺き屋根板２の接合用段部３の下方に挿入配設されてこの接合用段部３の下部を支持可能な段下配設部４と、接合用段部３の上方に配設する段上配設部５とが上下対向状態に設けられ、前記段上配設部５は、前記本体１に回動自在に設けられていると共に、この段上配設部５を回動操作可能なレバー部６が設けられ、このレバー部６の操作により段上配設部５を回動することで前記接合用段部３の上面に上方から面圧接してこの接合用段部３上面の所定範囲を偏平に圧潰する圧潰面部７が、前記段上配設部５に設けられている段葺き屋根の段潰し工具。【選択図】図１
2018087477.tif 000002
【特許請求の範囲】
【請求項１】
段葺き屋根上に載置可能な本体に、段葺き屋根板の接合用段部の下方に挿入配設されてこの接合用段部の下部を支持可能な段下配設部と、接合用段部の上方に配設する段上配設部とが上下対向状態に設けられ、前記段上配設部は、前記本体に回動自在に設けられていると共に、この段上配設部を回動操作可能なレバー部が設けられ、このレバー部の操作により段上配設部を回動することで前記接合用段部の上面に上方から面圧接してこの接合用段部上面の所定範囲を偏平に圧潰する圧潰面部が、前記段上配設部に設けられていることを特徴とする段葺き屋根の段潰し工具。
【請求項２】
前記段上配設部の下部に平坦面部が設けられ、この平坦面部が、前記レバー部の操作により前記段葺き屋根板の接合用段部の上面に上方から面圧接してこの接合用段部上面の所定範囲を偏平に圧潰する前記圧潰面部として構成されていることを特徴とする請求項１記載の段葺き屋根の段潰し工具。
【請求項３】
前記本体に、足で踏み付けることにより本体を段葺き屋根上に押し付ける足踏み部が設けられ、この足踏み部を足で踏み付けながら前記レバー部を操作可能に構成されていることを特徴とする請求項１，２のいずれか１項に記載の段葺き屋根の段潰し工具。
【請求項４】
前記本体の一端部に、前記段下配設部と前記段上配設部とが上下対向状態に設けられ、前記本体の他端部に、足で踏み付けることにより本体を段葺き屋根上に押し付ける足踏み部が設けられ、この足踏み部から離れる方向に前記レバー部を操作した際に、前記段葺き屋根板の接合用段部上面に上方から面圧接してこの接合用段部上面の所定範囲を偏平に圧潰する前記圧潰面部が、前記段上配設部に設けられていることを特徴とする請求項１〜３のいずれか１項に記載の段葺き屋根の段潰し工具。
【発明の詳細な説明】
【技術分野】
【０００１】
本発明は、段葺き屋根の接合用段部に、雪止め金具取付用の圧潰部を形成するための段葺き屋根の段潰し工具に関するものである。
【背景技術】
【０００２】
横葺き屋根用の雪止め金具Ｂとして、例えば特開平１１−３６５３５号（特許文献１）に示されるものがある。
【０００３】
この特許文献１を簡単に説明すると、屋根板２に取り付ける取付部31に羽根板やアングル材30Ａなどの雪止め部材30が付設されている（図６参照）。
【０００４】
また、取付部31は、下側挟持部32と上側挟持部33とが上下対向状態に設けられていると共に、この下側挟持部32と上側挟持部33との間に締付ボルト35が架設されて、この締付ボルト35に螺着したナット36を締付回動して下側挟持部32と上側挟持部33との対向間隔を狭めることにより、横葺き屋根板２の重合接合用折曲板部に対し締付挟持固定可能に構成され、さらに上側挟持部33の先端部は、下方へ折曲されてこの折曲先端縁が重合接合用折曲板部に食い込み係止する係止縁部34として構成されている。
【先行技術文献】
【特許文献】
【０００５】
【特許文献１】特開平１１−３６５３５号公報
【発明の概要】
【発明が解決しようとする課題】
【０００６】
横葺き屋根には、平葺き屋根と段葺き屋根Ａがあり、段葺き屋根Ａは、屋根板２の重合接合用折曲板部３（接合用段部３）が平葺き屋根のそれに比べて高さのある段形となっている。
【０００７】
このような段葺き屋根Ａに上記特許文献１を使用する場合、屋根板２の重合接合用折曲板部３（接合用段部３）が高さを有している分この重合接合用折曲板部３に取付部31を締付挟持固定した際の変形許容量が大きく、そのため取付部31の締付度合によっては、上側挟持部33の係止縁部34が重合接合用折曲板部３の上面に深く食い込んでこの上面が断面略Ｖ字状に変形し、その結果屋根板２の基端側（棟側）の重合接合用折曲板部３が軒先側へ引っ張られて延びるように変形してしまう不都合を生じることがある。
【０００８】
本発明者は、このような段葺き屋根Ａへの雪止め金具Ｂの取付時に生じる問題点に注目し、これを何とか解消できないかと思案するうちに、雪止め金具Ｂを取り付ける前に予め段葺き屋根Ａの接合用段部３を平葺き屋根と同等の高さ（低さ）となるように潰してしまえば（接合用段部３の変形許容量を小さくしてしまえば）、雪止め金具Ｂ取付時に上述のような屋根板２基端側の変形を防止できるのではないかと着眼した。
【０００９】
そして、この着眼点に基づいて開発を進め、段葺き屋根の段部を容易に圧潰することができる本発明の段葺き屋根の段潰し工具を完成させるに至った。
【課題を解決するための手段】
【００１０】
添付図面を参照して本発明の要旨を説明する。
【００１１】
段葺き屋根Ａ上に載置可能な本体１に、段葺き屋根板２の接合用段部３の下方に挿入配設されてこの接合用段部３の下部を支持可能な段下配設部４と、接合用段部３の上方に配設する段上配設部５とが上下対向状態に設けられ、前記段上配設部５は、前記本体１に回動自在に設けられていると共に、この段上配設部５を回動操作可能なレバー部６が設けられ、このレバー部６の操作により段上配設部５を回動することで前記接合用段部３の上面に上方から面圧接してこの接合用段部３上面の所定範囲を偏平に圧潰する圧潰面部７が、前記段上配設部５に設けられていることを特徴とする段葺き屋根の段潰し工具に係るものである。
【００１２】
また、前記段上配設部５の下部に平坦面部７が設けられ、この平坦面部７が、前記レバー部６の操作により前記段葺き屋根板２の接合用段部３の上面に上方から面圧接してこの接合用段部３上面の所定範囲を偏平に圧潰する前記圧潰面部７として構成されていることを特徴とする請求項１記載の段葺き屋根の段潰し工具に係るものである。
【００１３】
また、前記本体１に、足で踏み付けることにより本体１を段葺き屋根Ａ上に押し付ける足踏み部８が設けられ、この足踏み部８を足で踏み付けながら前記レバー部６を操作可能に構成されていることを特徴とする請求項１，２のいずれか１項に記載の段葺き屋根の段潰し工具に係るものである。
【００１４】
また、前記本体１の一端部に、前記段下配設部４と前記段上配設部５とが上下対向状態に設けられ、前記本体１の他端部に、足で踏み付けることにより本体１を段葺き屋根Ａ上に押し付ける足踏み部８が設けられ、この足踏み部８から離れる方向に前記レバー部６を操作した際に、前記段葺き屋根板２の接合用段部３上面に上方から面圧接してこの接合用段部３上面の所定範囲を偏平に圧潰する前記圧潰面部７が、前記段上配設部５に設けられていることを特徴とする請求項１〜３のいずれか１項に記載の段葺き屋根の段潰し工具に係るものである。
【発明の効果】
【００１５】
本発明は上述のように構成したから、段葺き屋根上の接合用段部にセットしてレバー部を操作する（段上配設部を回動させる）だけで、段葺き屋根の接合用段部の上面の所定範囲を容易に偏平に圧潰することができる。
【００１６】
即ち、段葺き屋根の接合用段部に、雪止め金具取付用の圧潰部を容易に形成可能となる極めて実用性に優れた段葺き屋根の段潰し工具となる。
【００１７】
また、請求項２記載の発明においては、段葺き屋根の接合用段部の上面の所定範囲を確実に偏平に圧潰できる圧潰面部を備えた段上配設部を、簡易構成にして容易に設計実現可能となる一層実用性に優れた構成の段葺き屋根の段潰し工具となる。
【００１８】
また、請求項３，４記載の発明においては、足踏み部を足で踏みつけて本体を安定させながらレバー部を操作して段葺き屋根の接合用段部を圧潰することができる一層実用性に優れた構成の段葺き屋根の段潰し工具となる。
【００１９】
また、特に請求項４記載の発明のように構成した場合には、レバー部操作時の荷重を、確実に足踏み部を踏みつけた足で支持できるため、レバー部操作時の本体を一層安定的に保持できる。
【図面の簡単な説明】
【００２０】
【図１】本実施例を示す斜視図である。
【図２】本実施例を示す、本体から段上配設部が分解されている状態の斜視図である。
【図３】本実施例の使用状態を示す概略説明図である。
【図４】本実施例の使用状態を示す、段葺き屋根板の接合用段部の下方に段下配設部が挿入されて段配設用間隙に接合用段部が挿入配設されている状態の説明側面図である。
【図５】図４に続いて、レバー部が操作されて段上配設部の圧潰面部で接合用段部上面の所定範囲が偏平に圧潰されている状態を示す説明側面図である。
【図６】本実施例を用いて形成された接合用段部の圧潰部に、雪止め金具が取付固定されている状態を示す説明側面図である。
【発明を実施するための形態】
【００２１】
好適と考える本発明の実施形態を、図面に基づいて本発明の作用を示して簡単に説明する。
【００２２】
段葺き屋根Ａ上に本体１を載置し、上記特許文献１のような取付部31を具備する雪止め金具Ｂを固定したい段葺き屋根板２の接合用段部３の下方に段下配設部４を挿入配設して、この段下配設部４と上下対向状態に設けられている段上配設部５を接合用段部３の上部に配設する。
【００２３】
次いで、レバー部６を操作して段上配設部５を回動させると、この段上配設部５に設けられている圧潰面部７が前記接合用段部３の上面に上方から面接すると共に、前記段下配設部４に接合用段部３の下部が支持されることとなり、更に力を加えてレバー部６の操作を継続すると、前記圧潰面部７が接合用段部３上面の所定範囲を偏平に圧潰することになる。
【００２４】
このようにして形成した接合用段部３の圧潰部３Ａに、雪止め金具Ｂの取付部31を締付挟持して段葺き屋根Ａ上に雪止め金具Ｂを固定すると、圧潰部３Ａは締付挟持力を加えてもこれ以上の変形を生じにくく、そのため段葺き屋根板２の基端側（棟側）が引っ張られて変形してしまうような不都合がない。
【実施例】
【００２５】
本発明の具体的な実施例について図面に基づいて説明する。
【００２６】
本実施例は、段葺き屋根Ａ上に載置可能な本体１に、段葺き屋根板２の接合用段部３の下方に挿入配設されてこの接合用段部３の下部を支持可能な段下配設部４と、接合用段部３の上方に配設する段上配設部５とが上下対向状態に設けられている。
【００２７】
本体１は、図１，図２に示すような前後方向に長さを有する平面視略長方形状の金属製平板材で構成され、この本体１長さ方向の一端部（前側（図示左側）端部）は、その上面が他の部位より一段低くなる薄厚形状に形成されてこの薄厚前側端部が前記段下配設部４として構成されている。
【００２８】
また、この本体１長さ方向の他端側（後側（図示右側））は、一端側より幅狭な形状に形成されてこの幅狭他側部分が足踏み部８として構成され、この足踏み部８を作業者19が足で踏み付けることにより本体１を段葺き屋根Ａ上に押し付け可能に構成されている。
【００２９】
また、この本体１の前側上面には、左右一対の金属製軸支片９が立設状態に設けられ、この左右の軸支片９には、軸支孔10が貫通形成されている。そして、この左右の軸支孔10間に架設状態に挿通配設される軸ボルト11を介して、左右の軸支片９間に前記段上配設部５が回動自在に枢着されている。図中符号12は前記軸ボルト11を軸支片９より抜止するためのナットである。
【００３０】
また、本実施例の段上配設部５は、図１〜図５に示したような略六面体形状をなす金属製塊状体であって、前面部（図示左側面部），後面部，上面部及び底面部が方形状を呈すると共に、左右側面部が、上底より下底が幅広な台形状を呈する形状に構成されており、更に左右側面部の前後方向の中間位置よりやや後方側の下端（下底）付近に、前記軸ボルト11を軸支挿通するための軸受孔13が左右貫通状態に形成されている。
【００３１】
即ち、前記本体１前側の左右の軸支片９間に、この本体１と前後左右方向を合致させて前記段上配設部５を回動自在に軸支することにより、段下配設部４と段上配設部５とが上下対向状態に設けられると共に、この段上配設部５は、軸ボルト11を支点軸とする回動移動によりその前側下面が前記段下配設部４の上面に対し接離移動するように構成されている。
【００３２】
また、この段上配設部５は、その前側下面が平坦面７に形成されて、この前側平坦面７が、前記接合用段部３の上面に上方から面圧接してこの接合用段部３上面の所定範囲を屋根勾配と略平行な偏平形状に圧潰する圧潰面部７として構成されている。
【００３３】
また、圧潰面部７は、上記特許文献１のような上下挟持取付タイプの取付部31を具備する雪止め金具Ｂの前記取付部31の前後幅よりやや幅広な前後幅寸法を有すると共に、前記取付部31の左右幅寸法よりやや幅広な左右幅寸法を有するように設定構成されていて、この圧潰面部７の圧潰により、前記段葺き屋根板２の接合用段部３に雪止め金具Ｂの取付部31が十分に取付固定可能となる大きさ（範囲）の圧潰部３Ａを形成可能となるように構成されている。
【００３４】
また、この段上配設部５の後端側下面の小範囲は、後傾斜した傾斜面に形成されていて、この後側傾斜下面14が前記本体１の上面に接することで段上配設部５の過回動を防止するストッパ面部14として構成されている。
【００３５】
即ち、段上配設部５は、前記圧潰面部７が前記本体１の上面に接する状態と、前記ストッパ面部14が本体１の上面に接する状態（図４参照）との間の範囲で回動自在に設けられている。
【００３６】
また、本実施例では、この後側傾斜面14が本体１上面に接している際に、前記段下配設部４と前記段上配設部５との間に、前記段葺き屋根板２の接合用段部３を挿入配設可能な段配設用間隙16が形成されるように、後側傾斜面14の形成位置や傾斜角度、並びに段上配設部５の枢着位置等が設定構成されている（図４参照）。
【００３７】
また、この段上配設部５の上部には、この段上配設部５を回動（傾動）操作可能なレバー部６が上方へ向けて突出状態に付設されている。
【００３８】
このレバー部６は、長さのある金属製丸棒状体で構成されており、その突出先端に把手キャップ15が被嵌されている。
【００３９】
また、このレバー部６は、立てた状態で段葺き屋根Ａ上の作業者19の腰付近にまで達する長さ寸法を有するものに構成され、段葺き屋根Ａ上で作業者19が立姿勢で前記把手キャップ15を把手して容易に操作可能に構成されている（図３参照）。
【００４０】
本実施例では、このレバー部６を前記足踏み部８に近づく方向に操作した際に、前記ストッパ面部14が本体１上面に接して前記段下配設部４と前記段上配設部５との間に前記段配設用間隙16が形成された状態となり、この状態でレバー部６を前記足踏み部８から離れる方向に操作した際に、前記圧潰面部７が前記段下配設部４に向かって接近移動するように構成されている（図３〜図５参照）。
【００４１】
従って、本実施例では、段葺き屋根Ａ上で前記段配設用間隙16が形成されるようにレバー部６を操作し、段葺き屋根板２の接合用段部３の下方に段下配設部４を挿入配設して段配設用間隙16に接合用段部３を挿入配設した後、作業者19が前記足踏み部８を足で踏み付けながらレバー部６を前記足踏み部８から離れる方向に操作すると、前記接合用段部３上面に前記圧潰面部７が上方から面接すると共に、前記段下配設部４に接合用段部３の下部が支持され、引き続き力を加えてレバー部６を足踏み部８から離れるように操作すると、このレバー部６の操作荷重が足踏み部８を踏んでいる足で支持されて本体１が安定状態に保たれつつ、圧潰面部７が接合用段部３の上面に面圧接してこの接合用段部３上面の所定範囲を偏平に圧潰していくように構成されている（図３参照）。
【００４２】
そして、このようにして圧潰形成された接合用段部３の圧潰部３Ａに、雪止め金具Ｂの取付部31を締付挟持して段葺き屋根Ａ上に雪止め金具Ｂを固定することができ、この際、圧潰部３Ａは締付挟持力を加えてもこれ以上の変形を生じにくいために、段葺き屋根板２の基端側（棟側）が引っ張られて延びるように変形してしまうことが防止されることとなる（図６参照）。
【００４３】
また、本実施例では、前記本体１の上面の前後方向の中ほどに側面視で逆Ｔ字状をなす板状の連結部材17が付設されており、この連結部材17の上部立板部17Ａの左右両端部には連結孔18が貫通形成されていて、この連結孔18に例えばロープなどを連結することによって本段潰し工具の段葺き屋根Ａからの落下を防止できるように構成されている。
【００４４】
また、この連結部材17の立板部17Ａは、本体１を移動させるための蹴込部としても機能するように構成されている。即ち、本工具を段葺き屋根Ａ上にセットする際、段葺き屋根Ａ上の接合用段部３の屋根勾配下方側に本体１を載置した後、立板部（蹴込部）17Ａを作業者が蹴ることにより本体１を屋根勾配上方側へと移動させて、接合用段部３の下方に段下配設部４を挿入配設可能となるように構成されている。
【００４５】
尚、本発明は、本実施例に限られるものではなく、各構成要件の具体的構成は適宜設計し得るものである。
【符号の説明】
【００４６】
１  本体
２  段葺き屋根板
３  接合用段部
４  段下配設部
５  段上配設部
６  レバー部
７  圧潰面部
８  足踏み部
Ａ  段葺き屋根
【図１】
2018087477.tif 000003
【図２】
2018087477.tif 000004
【図３】
2018087477.tif 000005
【図４】
2018087477.tif 000006
【図５】
2018087477.tif 000007
【図６】
2018087477.tif 000008